(57)【特許請求の範囲】
【請求項１】
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
水処理施設に流入する下水の水量を計測する流量計を設け、
反応タンクに流入する下水の水質を計測するCOD濃度計、SS濃度計、濁度計のうち少なくともひとつと、反応タンクに流入する下水の水質を計測するアンモニア性窒素濃度計を複数系列のうち、少なくともひとつの系列に設け、
反応タンク好気槽の水質を計測するMLSS計と溶存酸素濃度計を系列毎に設け、
上記の流量計、COD濃度計、SS濃度計、濁度計のうち少なくともひとつの濃度計、アンモニア性窒素濃度計、MLSS計の計測値に基づいて反応タンクに流入する下水中のBODとケルダール窒素を除去するために必要な酸素量を系列毎に算出する、下記数１〜数３に示す第1の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて第1の算出手段によって算出した必要な酸素量をフィードバック調整する、下記数４に示す第2の算出手段を系列毎に設け、
第2の算出手段によって算出した酸素量と散気装置の性能曲線に基づいて必要な曝気風量を系列毎に算出する、下記数５及び数６に示す第3の算出手段を設け、
第3の算出手段によって算出した曝気風量を曝気風量制御装置の制御目標値として系列毎に転送することを特徴とする下水処理場の運転支援装置。
【数１】
0006532397.tif 000086
0006532397.tif 000087
【数２】
0006532397.tif 000088
【数３】
0006532397.tif 000089
【数４】
0006532397.tif 000090
【数５】
0006532397.tif 000091
【数６】
0006532397.tif 000092
【請求項２】
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
水処理施設に流入する下水の水量を計測する流量計を設け、反応タンクに流入する下水の水質を計測するCOD濃度計、SS濃度計、濁度計のうち少なくともひとつと、反応タンク内において反応タンク好気槽の前段に配置される反応タンク嫌気槽または反応タンク無酸素槽の水質を計測するアンモニア性窒素濃度計を複数系列のうち、少なくともひとつの系列に設け、
反応タンク好気槽の水質を計測するMLSS計と溶存酸素濃度計を系列毎に設け、
上記の流量計、COD濃度計、SS濃度計、濁度計のうち少なくともひとつの濃度計、アンモニア性窒素濃度計、MLSS計の計測値に基づいて反応タンクに流入する下水中のBODとケルダール窒素を除去するために必要な酸素量を系列毎に算出する、下記数７〜数９に示す第1の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて第1の算出手段によって算出した必要な酸素量をフィードバック調整する、下記数４に示す第2の算出手段を系列毎に設け、
第2の算出手段によって算出した酸素量と散気装置の性能曲線に基づいて必要な曝気風量を系列毎に算出する、下記数５及び数６に示す第3の算出手段を設け、
第3の算出手段によって算出した曝気風量を曝気風量制御装置の制御目標値として系列毎に転送することを特徴とする下水処理場の運転支援装置。
【数７】
0006532397.tif 000093
0006532397.tif 000094
【数８】
0006532397.tif 000095
【数９】
0006532397.tif 000096
【数４】
0006532397.tif 000097
【数５】
0006532397.tif 000098
【数６】
0006532397.tif 000099
【請求項３】
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
水処理施設に流入する下水の水量を計測する流量計を設け、
反応タンクに流入する下水、反応タンク内において反応タンク好気槽の前段に配置される反応タンク嫌気槽、反応タンク無酸素槽のうち少なくともひとつの水質を計測するアンモニア性窒素濃度計を、複数系列のうち少なくともひとつの系列に設け、
反応タンク好気槽の水質を計測する溶存酸素濃度計を系列毎に設け、
上記の流量計、アンモニア性窒素濃度計の計測値に基づいて反応タンクに流入する下水中のBODとケルダール窒素を除去するために必要な酸素量を系列毎に算出する、下記数１０〜数１２に示す第1の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて第1の算出手段によって算出した必要な酸素量をフィードバック調整する、下記数４に示す第2の算出手段を系列毎に設け、
第2の算出手段によって算出した酸素量と散気装置の性能曲線に基づいて必要な曝気風量を系列毎に算出する、下記数５及び数６に示す第3の算出手段を設け、
第3の算出手段によって算出した曝気風量を曝気風量制御装置の制御目標値として系列毎に転送することを特徴とする下水処理場の運転支援装置。
【数１０】
0006532397.tif 000100
【数１１】
0006532397.tif 000101
【数１２】
0006532397.tif 000102
【数４】
0006532397.tif 000103
【数５】
0006532397.tif 000104
【数６】
0006532397.tif 000105
【請求項４】
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
複数系列のうち、ひとつの系列を代表系列として、
代表系列には、
反応タンクに流入する下水の水量を計測する流量計と、
反応タンクに流入する下水の水質を計測するCOD濃度計、SS濃度計、濁度計のうち少なくともひとつと、
反応タンクに流入する下水の水質を計測するアンモニア性窒素濃度計と、
反応タンク好気槽の水質を計測するMLSS計と、アンモニア性窒素濃度計と、硝酸性窒素濃度計と、水温計を設け、
その他の系列には、反応タンク好気槽の水質を計測する溶存酸素濃度計を系列毎に設け、
代表系列には、
上記の流量計、反応タンクに流入する下水の水質を計測するCOD濃度計、SS濃度計、濁度計のうち少なくともひとつの濃度計、アンモニア性窒素濃度計、反応タンク好気槽の水質を計測するMLSS計、アンモニア性窒素濃度計、硝酸性窒素濃度計、水温計の計測値に基づいて反応タンクに流入する下水中のBODとケルダール窒素を除去するために必要な酸素量を算出する、下記数１３〜数１６に示す第1の算出手段を設け、
反応タンク好気槽のアンモニア性窒素濃度の目標値とアンモニア性窒素濃度の測定値との偏差に基づいて第1の算出手段によって算出した必要な酸素量をフィードバック調整する、下記数１７に示す第2の算出手段を設け、
その他の系列には、
第1の算出手段により算出された酸素量に基づいて、反応タンクに流入する下水中のBODとケルダール窒素を除去するために必要な酸素量を系列毎に算出する、下記数１８に示す第3の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて系列毎に第3の算出手段によって算出した必要な酸素量をフィードバック調整する、下記数１９に示す第4の算出手段を設け、
第2の算出手段および第4の算出手段によって算出した酸素量と散気装置の性能曲線に基づいて必要な曝気風量を系列毎に算出する、下記数５及び数６に示す第5の算出手段を設け、
第5の算出手段によって算出した曝気風量を曝気風量制御装置の制御目標値として系列毎に転送することを特徴とする下水処理場の運転支援装置。
【数１３】
0006532397.tif 000106
0006532397.tif 000107
【数１４】
0006532397.tif 000108
【数１５】
0006532397.tif 000109
【数１６】
0006532397.tif 000110
【数１７】
0006532397.tif 000111
【数１８】
0006532397.tif 000112
【数１９】
0006532397.tif 000113
【数５】
0006532397.tif 000114
【数６】
0006532397.tif 000115
【請求項５】
下水を複数系列を有する水処理施設で処理するために必要となる曝気風量を算出する下水処理場の運転支援方法において、
水処理施設に流入する下水の水量を流量計により計測し、
反応タンクに流入する下水の水質をCOD濃度計、SS濃度計、濁度計のうち少なくともひとつと、反応タンクに流入する下水の水質をアンモニア性窒素濃度計により、複数系列のうち、少なくともひとつの系列で計測し、
反応タンク好気槽の水質をMLSS計と溶存酸素濃度計により系列毎に計測し、
上記の流量計、COD濃度計、SS濃度計、濁度計のうち少なくともひとつの濃度計、アンモニア性窒素濃度計、MLSS計の計測値に基づいて、下記数１〜数３を用いて反応タンクに流入する下水中のBODとケルダール窒素を除去するために必要な酸素量を系列毎に算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、下記数４を用いて反応タンク好気槽アンモニア性窒素濃度の目標値を満たすために必要となる溶存酸素濃度の目標値を系列毎に定め、
前記の溶存酸素濃度の目標値と前記の溶存酸素濃度の測定値との偏差に基づいて、上記数１〜数３を用いて算出した必要な酸素量を、下記数４を用いてフィードバック調整したうえで、
フィードバック調整後の酸素量と散気装置の性能曲線に基づいて、下記数５及び数６を用いて必要な曝気風量を系列毎に算出することを特徴とする下水処理場の運転支援方法。
【数１】
0006532397.tif 000116
0006532397.tif 000117
【数２】
0006532397.tif 000118
【数３】
0006532397.tif 000119
【数４】
0006532397.tif 000120
【数５】
0006532397.tif 000121
【数６】
0006532397.tif 000122
【請求項６】
下水を複数系列を有する水処理施設で処理するために必要となる曝気風量を算出する下水処理場の運転支援方法において、
水処理施設に流入する下水の水量を流量計により計測し、
反応タンクに流入する下水の水質をCOD濃度計、SS濃度計、濁度計のうち少なくともひとつと、反応タンク内において反応タンク好気槽の前段に配置される反応タンク嫌気槽または反応タンク無酸素槽の水質をアンモニア性窒素濃度計により、複数系列のうち、少なくともひとつの系列で計測し、
反応タンク好気槽の水質をMLSS計と溶存酸素濃度計により系列毎に計測し、
上記の流量計、COD濃度計、SS濃度計、濁度計のうち少なくともひとつの濃度計、アンモニア性窒素濃度計、MLSS計の計測値に基づいて、下記数７〜数９を用いて反応タンクに流入する下水中のBODとケルダール窒素を除去するために必要な酸素量を系列毎に算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定め、
前記の溶存酸素濃度の目標値と前記の溶存酸素濃度の測定値との偏差に基づいて、上記数７〜数９を用いて算出した必要な酸素量を、下記数４を用いてフィードバック調整したうえで、
フィードバック調整後の酸素量と散気装置の性能曲線に基づいて、下記数５及び数６を用いて必要な曝気風量を系列毎に算出することを特徴とする下水処理場の運転支援方法。
【数７】
0006532397.tif 000123
0006532397.tif 000124
【数８】
0006532397.tif 000125
【数９】
0006532397.tif 000126
【数４】
0006532397.tif 000127
【数５】
0006532397.tif 000128
【数６】
0006532397.tif 000129
【請求項７】
下水を複数系列を有する水処理施設で処理するために必要となる曝気風量を算出する下水処理場の運転支援方法において、
水処理施設に流入する下水の水量を流量計により計測し、
反応タンクに流入する下水、反応タンク内において反応タンク好気槽の前段に配置される反応タンク嫌気槽、反応タンク無酸素槽のうち少なくともひとつの水質をアンモニア性窒素濃度計により、複数系列のうち少なくともひとつの系列で計測し、
反応タンク好気槽の水質を溶存酸素濃度計により系列毎に計測し、
上記の流量計、アンモニア性窒素濃度計の計測値に基づいて、下記数１０〜数１２を用いて反応タンクに流入する下水中のBODとケルダール窒素を除去するために必要な酸素量を系列毎に算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定め、
前記の溶存酸素濃度の目標値と前記の溶存酸素濃度の測定値との偏差に基づいて、上記数１０〜数１２を用いて算出した必要な酸素量を、下記数４を用いてフィードバック調整したうえで、
フィードバック調整後の酸素量と散気装置の性能曲線に基づいて、下記数５及び数６を用いて必要な曝気風量を系列毎に算出することを特徴とする下水処理場の運転支援方法。
【数１０】
0006532397.tif 000130
【数１１】
0006532397.tif 000131
【数１２】
0006532397.tif 000132
【数４】
0006532397.tif 000133
【数５】
0006532397.tif 000134
【数６】
0006532397.tif 000135
【請求項８】
下水を複数系列を有する水処理施設で処理するために必要となる曝気風量を算出する下水処理場の運転支援方法において、
複数系列のうち、ひとつの系列を代表系列として、
代表系列では、
反応タンクに流入する下水の水量を流量計により計測し、
反応タンクに流入する下水の水質をCOD濃度計、SS濃度計、濁度計のうち少なくともひとつにより計測し、
反応タンクに流入する下水の水質をアンモニア性窒素濃度計により計測し、
反応タンク好気槽の水質をMLSS計と、アンモニア性窒素濃度計と、硝酸性窒素濃度計と、水温計により計測し、
その他の系列では、反応タンク好気槽の水質を溶存酸素濃度計により系列毎に計測し、
代表系列では、
上記の流量計、反応タンクに流入する下水の水質を計測するCOD濃度計、SS濃度計、濁度計のうち少なくともひとつの濃度計、アンモニア性窒素濃度計、反応タンク好気槽の水質を計測するMLSS計、アンモニア性窒素濃度計、硝酸性窒素濃度計、水温計の計測値に基づいて、下記数１３〜数１６を用いて反応タンクに流入する下水中のBODとケルダール窒素を除去するために必要な酸素量を算出し、
反応タンク好気槽のアンモニア性窒素濃度の目標値とアンモニア性窒素濃度の測定値との偏差に基づいて、上記数１３〜数１６を用いて算出した必要な酸素量を、下記数１７を用いてフィードバック調整し、
フィードバック調整した酸素量と散気装置の性能曲線に基づいて必要な曝気風量を算出し、
その他の系列では、
代表系列で算出された反応タンクに流入する下水中のBODとケルダール窒素を除去するために必要な酸素量に基づいて、系列毎に反応タンクに流入する下水中のBODとケルダール窒素を除去するために必要な酸素量を、下記数１８に示す手段により算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて、上記数１８を用いて算出した必要な酸素量を、下記数１９を用いてフィードバック調整し、
フィードバック後の酸素量と散気装置の性能曲線に基づいて、下記数５及び数６を用いて必要な曝気風量を系列毎に算出することを特徴とする下水処理場の運転支援方法。
【数１３】
0006532397.tif 000136
0006532397.tif 000137
【数１４】
0006532397.tif 000138
【数１５】
0006532397.tif 000139
【数１６】
0006532397.tif 000140
【数１７】
0006532397.tif 000141
【数１８】
0006532397.tif 000142
【数１９】
0006532397.tif 000143
【数５】
0006532397.tif 000144
【数６】
0006532397.tif 000145
【発明の詳細な説明】
【技術分野】
【０００１】
本発明は、下水処理場の運転支援装置及び運転支援方法に関する。
【背景技術】
【０００２】
従来の下水処理場の運転支援装置について図13を用いて説明する。下水処理場の水処理施設10は、系列1と系列2のふたつの系列に分かれている。系列1と系列2は同一の構成であるため、系列1についてのみ、その詳細な構成を説明する。系列1は最初沈殿池111と、反応タンク112と、最終沈殿池115とを備え、下水は最初沈殿池111において、比較的粗大な浮遊物が沈殿除去される。反応タンク112では、下水が活性汚泥と混合されて曝気装置116から散気装置117を介して送られる空気によって曝気され、活性汚泥に含まれる微生物の代謝作用により有機物が除去される。活性汚泥混合液は最終沈殿池115において、活性汚泥が沈降することによって浄化される。
【０００３】
下水の窒素除去のため、反応タンク112は曝気を行う部分（以下、好気槽という）と曝気を行わない部分（以下、無酸素槽という）とに分けられ、好気槽114では下水中のアンモニア等の窒素化合物が酸化されて硝酸となる（以下、硝化反応という）。好気槽114で生成された硝酸は好気槽114から返送汚泥を通じて無酸素槽113に送られ、無酸素槽113において、活性汚泥の硝酸呼吸の結果、窒素ガスとなり、大気中に除去される。
【０００４】
図14は図13における信号の流れを示すブロック図である。好気槽114に設置した溶存酸素濃度（以下、DOという）を測定するDO計146の計測値とオペレータがパラメータ設定部122に設定したDO設定値との偏差をもとにして、DOコントローラ128が必要な曝気風量を算出する。曝気風量制御装置130はDOコントローラ128で算出された曝気風量を目標値として、これに曝気風量が一致するように曝気装置116を制御している（以下、DO制御という）。
【０００５】
図13において、最終沈殿池115と反応タンク112との間に、返送汚泥ポンプ119を有する返送ラインが設けられている。
【０００６】
図15に示す下水処理場の運転支援装置は特開2012-135717に記載のあるものである。
【０００７】
下水処理場の水処理施設10は、系列1と系列2のふたつの系列に分かれている。系列1と系列2は同一の構成であるため、系列1についてのみ、その詳細な構成を説明する。系列1には、下水が流入する水路に流量計141と、COD濃度計142と、アンモニア性窒素濃度計143が、反応タンクにMLSS計145と、DO計146と、アンモニア性窒素濃度計147と、硝酸性窒素濃度計148と、水温計149が設置されている。
【０００８】
図16は図15における信号の流れを示すブロック図である。前記の流量計および濃度計の計測値とオペレータがパラメータ設定部122に設定した各種パラメータに基づいて、必要酸素量演算部123が反応タンクに流入する下水に含まれる有機物と窒素を除去するために必要な酸素量を算出し、フィードバック演算部124が反応タンク好気槽アンモニア性窒素濃度の目標値とアンモニア性窒素濃度計147の計測値との偏差に基づいて酸素必要量をフィードバック調整したうえで、算出した酸素量と散気装置の性能曲線に基づいて曝気風量演算部125が曝気風量を算出する。曝気風量制御装置130は曝気風量演算部125で算出された曝気風量を目標値として、これに曝気風量が一致するように曝気装置116を制御している（以下、OR制御という）。
【先行技術文献】
【特許文献】
【０００９】
【特許文献１】特開2012-135717号公報
【発明の概要】
【発明が解決しようとする課題】
【００１０】
従来の技術において、DO制御においては、反応タンク末端に設置したDO計からのDO信号に基づいて制御を行うため、下水の流入量や流入水質の変動に対して、制御に時間的な遅れが生じる結果、有機物及び窒素の除去が不完全となりやすく、そのため、良好な処理水質を安定的に保つことは難しい。また、これらの問題を考慮してオペレータがDO目標値を必要以上に高く設定した場合、曝気に要するエネルギー量が本来必要であるエネルギー量に対して過大となる恐れがあり、その場合には曝気に要するコストが増大することとなる。
【００１１】
さらにいえば、ある時点での最適なDO目標値はわからず、DO目標値は流入水や処理水の水質分析データ等をもとにして、過去の経験や勘に基づいて設定されているため、良好な処理水質を安定的に保つことは難しく、また、下水の流入水量や流入水質の変動を考慮して、ある程度、余裕をみた設定とする必要があることから、曝気に要するコストも過大なものとなることが多い。
【００１２】
一方、OR制御においては、反応タンクに流入する下水の水量と水質、反応タンクの水質に基づいて制御を行うため、良好な処理水質を安定的に保つことができる。また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。しかし、OR制御を適用するためには系列毎に、COD濃度計、アンモニア窒素濃度計を下水が流入する水路に、アンモニア窒素濃度計、硝酸性窒素濃度計、水温計を反応タンクに設ける必要があるため、DO制御にくらべて導入コストや維持管理コストが高くなる。
【００１３】
本発明は、上記の問題点を解決するためになされたものであり、良好な処理水質を安定的に保つとともに、曝気風量を削減することができる下水処理場運転支援装置および運転支援方法を低コストで提供することを目的とする。
【課題を解決するための手段】
【００１４】
請求項1に示す下水処理場の運転支援装置は、
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
水処理施設に流入する下水の水量を計測する流量計を設け、
反応タンクに流入する下水の水質を計測するCOD濃度計、SS濃度計、濁度計のうち少なくともひとつと、反応タンクに流入する下水の水質を計測するアンモニア性窒素濃度計を複数系列のうち、少なくともひとつの系列に設け、
反応タンク好気槽の水質を計測するMLSS計と溶存酸素濃度計を系列毎に設け、
上記の流量計、COD濃度計、SS濃度計、濁度計のうち少なくともひとつの濃度計、アンモニア性窒素濃度計、MLSS計の計測値に基づいて反応タンクに流入する下水中のBODとケルダール窒素を除去するために必要な酸素量を系列毎に算出する、下記数１〜数３に示す第1の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて第1の算出手段によって算出した必要な酸素量をフィードバック調整する、下記数４に示す第2の算出手段を系列毎に設け、
第2の算出手段によって算出した酸素量と散気装置の性能曲線に基づいて必要な曝気風量を系列毎に算出する、下記数５及び数６に示す第3の算出手段を設け、
第3の算出手段によって算出した曝気風量を曝気風量制御装置の制御目標値として系列毎に転送することを特徴とするものである。
【数１】
0006532397.tif 000002
0006532397.tif 000003
【数２】
0006532397.tif 000004
【数３】
0006532397.tif 000005
【数４】
0006532397.tif 000006
【数５】
0006532397.tif 000007
【数６】
0006532397.tif 000008
【００１５】
ここで、曝気装置とは微生物による有機物、窒素除去の際に必要となる空気を供給するもので、送風機と送風機により反応タンクに供給される空気の量を調整する風量調整弁とからなるものを意味する。また、散気装置とは送風機から供給された空気を微細化することにより効率よく反応タンクに酸素を供給するものであり、図17に示すようなものが一般的に用いられる。
【００１６】
また、フィードバック調整とは、出力の結果を入力側に戻し、調整を行うことをいう。
【００１７】
流入水質を測定する濃度計は汚れによる誤差を生じやすいが、濃度計の誤差によって算出された必要酸素量が本来必要である必要酸素量に対して過大または過小となった場合でも、このフィードバック調整により、補正を行うことができる。
【００１８】
また、散気装置・曝気装置の経年劣化等の原因によって生じる誤差に対しても、このフィードバック調整は有効に機能し、補正を行うことができる。
【００１９】
このように構成された運転支援装置においては、水処理施設に流入する下水の水量、反応タンクに流入する下水の水質、反応タンク好気槽の水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を定めたうえで、前記の溶存酸素濃度の目標値と前記の溶存酸素濃度の測定値との偏差に基づいて前記酸素量をフィードバック調整し、さらに、フィードバック調整された酸素量と散気装置の性能曲線とから必要な曝気風量を算出することができることから、この曝気風量を曝気風量制御装置の曝気風量設定部に転送することで、設定された曝気風量に一致するように曝気風量制御装置が曝気装置を制御することにより有機物及び窒素の処理を効果的に行うことができるため、良好な処理水質を安定的に保つことができる。
【００２０】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００２１】
さらに、OR制御では系列毎に反応タンクに流入する下水の水質を計測するCOD濃度計およびアンモニア性窒素濃度計を設ける必要があるのに対し、請求項1に示す下水処理場の運転支援装置では1系列のみへの設置で済み、また、OR制御で必要となる、系列毎の反応タンクへのアンモニア性窒素濃度計、硝酸性窒素濃度計、水温計の設置が不要となるため、これらの導入コストおよび維持管理コストを縮減することが可能となる。
【００２２】
請求項2に示す下水処理場の運転支援装置は、
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
水処理施設に流入する下水の水量を計測する流量計を設け、反応タンクに流入する下水の水質を計測するCOD濃度計、SS濃度計、濁度計のうち少なくともひとつと、反応タンク内において反応タンク好気槽の前段に配置される反応タンク嫌気槽または反応タンク無酸素槽の水質を計測するアンモニア性窒素濃度計を複数系列のうち、少なくともひとつの系列に設け、
反応タンク好気槽の水質を計測するMLSS計と溶存酸素濃度計を系列毎に設け、
上記の流量計、COD濃度計、SS濃度計、濁度計のうち少なくともひとつの濃度計、アンモニア性窒素濃度計、MLSS計の計測値に基づいて反応タンクに流入する下水中のBODとケルダール窒素を除去するために必要な酸素量を系列毎に算出する、下記数７〜数９に示す第1の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて第1の算出手段によって算出した必要な酸素量をフィードバック調整する、下記数４に示す第2の算出手段を系列毎に設け、
第2の算出手段によって算出した酸素量と散気装置の性能曲線に基づいて必要な曝気風量を系列毎に算出する、下記数５及び数６に示す第3の算出手段を設け、
第3の算出手段によって算出した曝気風量を曝気風量制御装置の制御目標値として系列毎に転送することを特徴とするものである。
【数７】
0006532397.tif 000009
0006532397.tif 000010
【数８】
0006532397.tif 000011
【数９】
0006532397.tif 000012
【数４】
0006532397.tif 000013
【数５】
0006532397.tif 000014
【数６】
0006532397.tif 000015
【００２３】
このように構成された運転支援装置においては、水処理施設に流入する下水の水量、反応タンクに流入する下水の水質、反応タンク嫌気槽または無酸素槽の水質、反応タンク好気槽の水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を定めたうえで、前記の溶存酸素濃度の目標値と前記の溶存酸素濃度の測定値との偏差に基づいて前記酸素量をフィードバック調整し、さらに、フィードバック調整された酸素量と散気装置の性能曲線とから必要な曝気風量を算出することができることから、この曝気風量を曝気風量制御装置の曝気風量設定部に転送することで、設定された曝気風量に一致するように曝気風量制御装置が曝気装置を制御することにより有機物及び窒素の処理を効果的に行うことができるため、良好な処理水質を安定的に保つことができる。
【００２４】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００２５】
さらに、OR制御では系列毎に反応タンクに流入する下水の水質を計測するCOD濃度計およびアンモニア性窒素濃度計を設ける必要があるのに対し、請求項2に示す下水処理場の運転支援装置では1系列のみへの設置で済み、また、OR制御で必要となる、系列毎の反応タンクへのアンモニア性窒素濃度計、硝酸性窒素濃度計、水温計の設置が不要となるため、これらの導入コストおよび維持管理コストを縮減することが可能となる。
【００２６】
そのうえ、アンモニア性窒素濃度計の計測対象を反応タンクに流入する下水から、反応タンク嫌気槽または反応タンク無酸素槽としたことにより、アンモニア性窒素濃度計への汚濁物質による影響が軽減されることとなり、維持管理コストのより一層の軽減が可能となる。
【００２７】
請求項3に示す下水処理場の運転支援装置は、
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
水処理施設に流入する下水の水量を計測する流量計を設け、
反応タンクに流入する下水、反応タンク内において反応タンク好気槽の前段に配置される反応タンク嫌気槽、反応タンク無酸素槽のうち少なくともひとつの水質を計測するアンモニア性窒素濃度計を、複数系列のうち少なくともひとつの系列に設け、
反応タンク好気槽の水質を計測する溶存酸素濃度計を系列毎に設け、
上記の流量計、アンモニア性窒素濃度計の計測値に基づいて反応タンクに流入する下水中のBODとケルダール窒素を除去するために必要な酸素量を系列毎に算出する、下記数１０〜数１２に示す第1の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて第1の算出手段によって算出した必要な酸素量をフィードバック調整する、下記数４に示す第2の算出手段を系列毎に設け、
第2の算出手段によって算出した酸素量と散気装置の性能曲線に基づいて必要な曝気風量を系列毎に算出する、下記数５及び数６に示す第3の算出手段を設け、
第3の算出手段によって算出した曝気風量を曝気風量制御装置の制御目標値として系列毎に転送することを特徴とするものである。
【数１０】
0006532397.tif 000016
【数１１】
0006532397.tif 000017
【数１２】
0006532397.tif 000018
【数４】
0006532397.tif 000019
【数５】
0006532397.tif 000020
【数６】
0006532397.tif 000021
【００２８】
このように構成された運転支援装置においては、水処理施設に流入する下水の水量、反応タンクに流入する下水、反応タンク嫌気槽、反応タンク無酸素槽のうち少なくともひとつの水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を定めたうえで、前記の溶存酸素濃度の目標値と前記の溶存酸素濃度の測定値との偏差に基づいて前記酸素量をフィードバック調整し、さらに、フィードバック調整された酸素量と散気装置の性能曲線とから必要な曝気風量を算出することができることから、この曝気風量を曝気風量制御装置の曝気風量設定部に転送することで、設定された曝気風量に一致するように曝気風量制御装置が曝気装置を制御することにより有機物及び窒素の処理を効果的に行うことができるため、良好な処理水質を安定的に保つことができる。
【００２９】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００３０】
さらに、OR制御では系列毎に反応タンクに流入する下水の水質を計測するCOD濃度計およびアンモニア性窒素濃度計を設ける必要があるのに対し、請求項3に示す下水処理場の運転支援装置ではアンモニア性窒素濃度計を1系列のみへ設置することで済み、また、OR制御で必要となる、系列毎の反応タンクへのアンモニア性窒素濃度計、硝酸性窒素濃度計、水温計の設置が不要となるため、これらの導入コストおよび維持管理コストを縮減することが可能となる。
【００３１】
そのうえ、アンモニア性窒素濃度計の計測対象を反応タンク嫌気槽または反応タンク無酸素槽とした場合には、アンモニア性窒素濃度計への汚濁物質による影響が軽減されることとなり、維持管理コストのより一層の縮減が可能となる。
【００３２】
請求項4に示す下水処理場の運転支援装置は、
反応タンクと反応タンク内に設置された散気装置と散気装置に接続された曝気装置とを備えた活性汚泥法による複数系列を有する水処理施設で、
曝気風量が曝気風量の制御目標値に一致するように系列毎に曝気装置を制御する曝気風量制御装置に対して、
下水を処理するために必要な曝気風量を系列毎に算出して、
算出した曝気風量を制御目標値として系列毎に転送する手段を備えた下水処理場の運転支援装置において、
複数系列のうち、ひとつの系列を代表系列として、
代表系列には、
反応タンクに流入する下水の水量を計測する流量計と、
反応タンクに流入する下水の水質を計測するCOD濃度計、SS濃度計、濁度計のうち少なくともひとつと、
反応タンクに流入する下水の水質を計測するアンモニア性窒素濃度計と、
反応タンク好気槽の水質を計測するMLSS計と、アンモニア性窒素濃度計と、硝酸性窒素濃度計と、水温計を設け、
その他の系列には、反応タンク好気槽の水質を計測する溶存酸素濃度計を系列毎に設け、
代表系列には、
上記の流量計、反応タンクに流入する下水の水質を計測するCOD濃度計、SS濃度計、濁度計のうち少なくともひとつの濃度計、アンモニア性窒素濃度計、反応タンク好気槽の水質を計測するMLSS計、アンモニア性窒素濃度計、硝酸性窒素濃度計、水温計の計測値に基づいて反応タンクに流入する下水中のBODとケルダール窒素を除去するために必要な酸素量を算出する、下記数１３〜数１６に示す第1の算出手段を設け、
反応タンク好気槽のアンモニア性窒素濃度の目標値とアンモニア性窒素濃度の測定値との偏差に基づいて第1の算出手段によって算出した必要な酸素量をフィードバック調整する、下記数１７に示す第2の算出手段を設け、
その他の系列には、
第1の算出手段により算出された酸素量に基づいて、反応タンクに流入する下水中のBODとケルダール窒素を除去するために必要な酸素量を系列毎に算出する、下記数１８に示す第3の算出手段を設け、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて系列毎に第3の算出手段によって算出した必要な酸素量をフィードバック調整する、下記数１９に示す第4の算出手段を設け、
第2の算出手段および第4の算出手段によって算出した酸素量と散気装置の性能曲線に基づいて必要な曝気風量を系列毎に算出する、下記数５及び数６に示す第5の算出手段を設け、
第5の算出手段によって算出した曝気風量を曝気風量制御装置の制御目標値として系列毎に転送することを特徴とするものである。
【数１３】
0006532397.tif 000022
0006532397.tif 000023
【数１４】
0006532397.tif 000024
【数１５】
0006532397.tif 000025
【数１６】
0006532397.tif 000026
【数１７】
0006532397.tif 000027
【数１８】
0006532397.tif 000028
【数１９】
0006532397.tif 000029
【数５】
0006532397.tif 000030
【数６】
0006532397.tif 000031
【００３３】
このように構成された運転支援装置においては、代表系列では、反応タンクに流入する下水の水量、水質、反応タンクの水質からBODとケルダール窒素を除去するために必要な曝気風量を算出し、反応タンク好気槽のアンモニア性窒素濃度の目標値とアンモニア性窒素濃度の測定値との偏差に基づいて、算出した必要な酸素量をフィードバック調整し、フィードバック調整した酸素量と散気装置の性能曲線に基づいて必要な曝気風量を算出し、算出した曝気風量を曝気風量制御装置の制御目標値として系列毎に転送し、その他の系列では、代表系列で算出された反応タンクに流入する下水中のBODとケルダール窒素を除去するために必要な酸素量に基づいて、系列毎に反応タンクに流入する下水中のBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、前記の溶存酸素濃度の目標値と前記の溶存酸素濃度の測定値との偏差に基づいて、算出した必要な酸素量をフィードバック調整し、フィードバック後の酸素量と散気装置の性能曲線に基づいて必要な曝気風量を系列毎に算出し、算出した曝気風量を曝気風量制御装置の制御目標値として系列毎に転送することで、設定された曝気風量に一致するように曝気風量制御装置が曝気装置を制御することにより有機物及び窒素の処理を効果的に行うことができるため、良好な処理水質を安定的に保つことができる。
【００３４】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００３５】
さらに、OR制御では系列毎に反応タンクに流入する下水の水質を計測するCOD計およびアンモニア性窒素濃度計を設ける必要があるのに対し、請求項4に示す下水処理場の運転支援装置ではCOD濃度計およびアンモニア性窒素濃度計を代表系列のみへ設置することで済み、これらの導入コストおよび維持管理コストを縮減することが可能となる。
【００３６】
また、OR制御で必要となる、代表系列以外への反応タンクへの硝酸性窒素濃度計、アンモニア性窒素濃度計、水温計の設置が不要となるため、これらの導入コストおよび維持管理コストを縮減することが可能となる。
【００３７】
請求項5に示す下水処理場の運転支援方法は、
下水を複数系列を有する水処理施設で処理するために必要となる曝気風量を算出する下水処理場の運転支援方法において、
水処理施設に流入する下水の水量を流量計により計測し、
反応タンクに流入する下水の水質をCOD濃度計、SS濃度計、濁度計のうち少なくともひとつと、反応タンクに流入する下水の水質をアンモニア性窒素濃度計により、複数系列のうち、少なくともひとつの系列で計測し、
反応タンク好気槽の水質をMLSS計と溶存酸素濃度計により系列毎に計測し、
上記の流量計、COD濃度計、SS濃度計、濁度計のうち少なくともひとつの濃度計、アンモニア性窒素濃度計、MLSS計の計測値に基づいて、下記数１〜数３を用いて反応タンクに流入する下水中のBODとケルダール窒素を除去するために必要な酸素量を系列毎に算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、下記数４を用いて反応タンク好気槽アンモニア性窒素濃度の目標値を満たすために必要となる溶存酸素濃度の目標値を系列毎に定め、
前記の溶存酸素濃度の目標値と前記の溶存酸素濃度の測定値との偏差に基づいて、上記数１〜数３を用いて算出した必要な酸素量を、下記数４を用いてフィードバック調整したうえで、
フィードバック調整後の酸素量と散気装置の性能曲線に基づいて、下記数５及び数６を用いて必要な曝気風量を系列毎に算出することを特徴とするものである。
【数１】
0006532397.tif 000032
0006532397.tif 000033
【数２】
0006532397.tif 000034
【数３】
0006532397.tif 000035
【数４】
0006532397.tif 000036
【数５】
0006532397.tif 000037
【数６】
0006532397.tif 000038
【００３８】
このように構成された運転支援方法においては、水処理施設に流入する下水の水量、反応タンクに流入する下水の水質、反応タンク好気槽の水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を定めたうえで、前記の溶存酸素濃度の目標値と前記の溶存酸素濃度の測定値との偏差に基づいて前記酸素量をフィードバック調整し、さらに、フィードバック調整された酸素量と散気装置の性能曲線とから必要な曝気風量を算出することができることから、有機物及び窒素の処理を効果的に行うことができるため、良好な処理水質を安定的に保つことができる。
【００３９】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００４０】
さらに、OR制御では系列毎に反応タンクに流入する下水の水質を計測するCOD濃度計およびアンモニア性窒素濃度計を設ける必要があるのに対し、請求項5に示す下水処理場の運転支援方法では1系列のみへの設置で済み、また、OR制御で必要となる、系列毎の反応タンクへのアンモニア性窒素濃度計、硝酸性窒素濃度計、水温計の設置が不要となるため、これらの導入コストおよび維持管理コストを縮減することが可能となる。
【００４１】
請求項6に示す下水処理場の運転支援方法は、
下水を複数系列を有する水処理施設で処理するために必要となる曝気風量を算出する下水処理場の運転支援方法において、
水処理施設に流入する下水の水量を流量計により計測し、
反応タンクに流入する下水の水質をCOD濃度計、SS濃度計、濁度計のうち少なくともひとつと、反応タンク内において反応タンク好気槽の前段に配置される反応タンク嫌気槽または反応タンク無酸素槽の水質をアンモニア性窒素濃度計により、複数系列のうち、少なくともひとつの系列で計測し、
反応タンク好気槽の水質をMLSS計と溶存酸素濃度計により系列毎に計測し、
上記の流量計、COD濃度計、SS濃度計、濁度計のうち少なくともひとつの濃度計、アンモニア性窒素濃度計、MLSS計の計測値に基づいて、下記数７〜数９を用いて反応タンクに流入する下水中のBODとケルダール窒素を除去するために必要な酸素量を系列毎に算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定め、
前記の溶存酸素濃度の目標値と前記の溶存酸素濃度の測定値との偏差に基づいて、上記数７〜数９を用いて算出した必要な酸素量を、下記数４を用いてフィードバック調整したうえで、
フィードバック調整後の酸素量と散気装置の性能曲線に基づいて、下記数５及び数６を用いて必要な曝気風量を系列毎に算出することを特徴とするものである。
【数７】
0006532397.tif 000039
0006532397.tif 000040
【数８】
0006532397.tif 000041
【数９】
0006532397.tif 000042
【数４】
0006532397.tif 000043
【数５】
0006532397.tif 000044
【数６】
0006532397.tif 000045
【００４２】
このように構成された運転支援方法においては、水処理施設に流入する下水の水量、反応タンクに流入する下水の水質、反応タンク嫌気槽または反応タンク無酸素槽の水質、反応タンク好気槽の水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を定めたうえで、前記の溶存酸素濃度の目標値と前記の溶存酸素濃度の測定値との偏差に基づいて前記酸素量をフィードバック調整し、さらに、フィードバック調整された酸素量と散気装置の性能曲線とから必要な曝気風量を算出することができることから、有機物及び窒素の処理を効果的に行うことができるため、良好な処理水質を安定的に保つことができる。
【００４３】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００４４】
さらに、OR制御では系列毎に反応タンクに流入する下水の水質を計測するCOD濃度計およびアンモニア性窒素濃度計を設ける必要があるのに対し、請求項6に示す下水処理場の運転支援方法では1系列のみへの設置で済み、また、OR制御で必要となる、系列毎の反応タンクへのアンモニア性窒素濃度計、硝酸性窒素濃度計、水温計の設置が不要となるため、これらの導入コストおよび維持管理コストを縮減することが可能となる。
【００４５】
そのうえ、アンモニア性窒素濃度計の計測対象を反応タンクに流入する下水から、反応タンク嫌気槽または反応タンク無酸素槽としたことにより、アンモニア性窒素濃度計への汚濁物質による影響が軽減されることとなり、維持管理コストのより一層の軽減が可能となる。
【００４６】
請求項7に示す下水処理場の運転支援方法は、
下水を複数系列を有する水処理施設で処理するために必要となる曝気風量を算出する下水処理場の運転支援方法において、
水処理施設に流入する下水の水量を流量計により計測し、
反応タンクに流入する下水、反応タンク内において反応タンク好気槽の前段に配置される反応タンク嫌気槽、反応タンク無酸素槽のうち少なくともひとつの水質をアンモニア性窒素濃度計により、複数系列のうち少なくともひとつの系列で計測し、
反応タンク好気槽の水質を溶存酸素濃度計により系列毎に計測し、
上記の流量計、アンモニア性窒素濃度計の計測値に基づいて、下記数１０〜数１２を用いて反応タンクに流入する下水中のBODとケルダール窒素を除去するために必要な酸素量を系列毎に算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定め、
前記の溶存酸素濃度の目標値と前記の溶存酸素濃度の測定値との偏差に基づいて、上記数１０〜数１２を用いて算出した必要な酸素量を、下記数４を用いてフィードバック調整したうえで、
フィードバック調整後の酸素量と散気装置の性能曲線に基づいて、下記数５及び数６を用いて必要な曝気風量を系列毎に算出することを特徴とするものである。
【数１０】
0006532397.tif 000046
【数１１】
0006532397.tif 000047
【数１２】
0006532397.tif 000048
【数４】
0006532397.tif 000049
【数５】
0006532397.tif 000050
【数６】
0006532397.tif 000051
【００４７】
このように構成された運転支援方法においては、水処理施設に流入する下水の水量、反応タンクに流入する下水、反応タンク嫌気槽、反応タンク無酸素槽のうち少なくともひとつの水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を定めたうえで、前記の溶存酸素濃度の目標値と前記の溶存酸素濃度の測定値との偏差に基づいて前記酸素量をフィードバック調整し、さらに、フィードバック調整された酸素量と散気装置の性能曲線とから必要な曝気風量を算出することができることから有機物及び窒素の処理を効果的に行うことができるため、良好な処理水質を安定的に保つことができる。
【００４８】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００４９】
さらに、OR制御では系列毎に反応タンクに流入する下水の水質を計測するCOD濃度計およびアンモニア性窒素濃度計を設ける必要があるのに対し、請求項7に示す下水処理場の運転支援方法ではアンモニア性窒素濃度計を1系列のみへ設置することで済み、また、OR制御で必要となる、系列毎の反応タンクへの硝酸性窒素濃度計、アンモニア性窒素濃度計、水温計の設置が不要となるため、これらの導入コストおよび維持管理コストを縮減することが可能となる。
【００５０】
そのうえ、アンモニア性窒素濃度計の計測対象を反応タンク嫌気槽または反応タンク無酸素槽とした場合には、アンモニア性窒素濃度計への汚濁物質による影響が軽減されることとなり、維持管理コストのより一層の縮減が可能となる。
【００５１】
請求項8に示す下水処理場の運転支援方法は、
下水を複数系列を有する水処理施設で処理するために必要となる曝気風量を算出する下水処理場の運転支援方法において、
複数系列のうち、ひとつの系列を代表系列として、
代表系列では、
反応タンクに流入する下水の水量を流量計により計測し、
反応タンクに流入する下水の水質をCOD濃度計、SS濃度計、濁度計のうち少なくともひとつにより計測し、
反応タンクに流入する下水の水質をアンモニア性窒素濃度計により計測し、
反応タンク好気槽の水質をMLSS計と、アンモニア性窒素濃度計と、硝酸性窒素濃度計と、水温計により計測し、
その他の系列では、反応タンク好気槽の水質を溶存酸素濃度計により系列毎に計測し、
代表系列では、
上記の流量計、反応タンクに流入する下水の水質を計測するCOD濃度計、SS濃度計、濁度計のうち少なくともひとつの濃度計、アンモニア性窒素濃度計、反応タンク好気槽の水質を計測するMLSS計、アンモニア性窒素濃度計、硝酸性窒素濃度計、水温計の計測値に基づいて、下記数１３〜数１６を用いて反応タンクに流入する下水中のBODとケルダール窒素を除去するために必要な酸素量を算出し、
反応タンク好気槽のアンモニア性窒素濃度の目標値とアンモニア性窒素濃度の測定値との偏差に基づいて、上記数１３〜数１６を用いて算出した必要な酸素量を、下記数１７を用いてフィードバック調整し、
フィードバック調整した酸素量と散気装置の性能曲線に基づいて必要な曝気風量を算出し、
その他の系列では、
代表系列で算出された反応タンクに流入する下水中のBODとケルダール窒素を除去するために必要な酸素量に基づいて、系列毎に反応タンクに流入する下水中のBODとケルダール窒素を除去するために必要な酸素量を、下記数１８に示す手段により算出し、
あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を系列毎に定めたうえで、
前記の溶存酸素濃度の目標値と前記の溶存酸素濃度の測定値との偏差に基づいて、上記数１８を用いて算出した必要な酸素量を、下記数１９を用いてフィードバック調整し、
フィードバック後の酸素量と散気装置の性能曲線に基づいて、下記数５及び数６を用いて必要な曝気風量を系列毎に算出することを特徴とする下水処理場の運転支援方法。
【数１３】
0006532397.tif 000052
0006532397.tif 000053
【数１４】
0006532397.tif 000054
【数１５】
0006532397.tif 000055
【数１６】
0006532397.tif 000056
【数１７】
0006532397.tif 000057
【数１８】
0006532397.tif 000058
【数１９】
0006532397.tif 000059
【数５】
0006532397.tif 000060
【数６】
0006532397.tif 000061
【００５２】
このように構成された運転支援方法においては、代表系列では、反応タンクに流入する下水の水量、水質、反応タンクの水質からBODとケルダール窒素を除去するために必要な曝気風量を算出し、反応タンク好気槽のアンモニア性窒素濃度の目標値とアンモニア性窒素濃度の測定値との偏差に基づいて、算出した必要な酸素量をフィードバック調整し、フィードバック調整した酸素量と散気装置の性能曲線に基づいて必要な曝気風量を算出し、その他の系列では、代表系列で算出されたBODとケルダール窒素を除去するために必要な酸素量に基づいて、系列毎にBODとケルダール窒素を除去するために必要な酸素量を算出し、溶存酸素濃度の目標値と溶存酸素濃度の測定値との偏差に基づいて、算出した必要な酸素量をフィードバック調整し、フィードバック後の酸素量と散気装置の性能曲線に基づいて必要な曝気風量を系列毎に算出することで有機物及び窒素の処理を効果的に行うことができるため、良好な処理水質を安定的に保つことができる。
【００５３】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００５４】
さらに、OR制御では系列毎に反応タンクに流入する下水の水質を計測するCOD濃度計およびアンモニア性窒素濃度計を設ける必要があるのに対し、請求項8に示す下水処理場の運転支援方法ではCOD濃度計およびアンモニア性窒素濃度計を代表系列のみへ設置することで済み、これらの導入コストおよび維持管理コストを縮減することが可能となる。
【００５５】
また、OR制御で必要となる、代表系列以外の反応タンクへの硝酸性窒素濃度計、アンモニア性窒素濃度計、水温計の設置が不要となるため、これらの導入コストおよび維持管理コストを縮減することが可能となる。
【発明の効果】
【００５６】
図23は、本発明により構成した図1に示す運転支援装置を用いた、系列1における最終沈殿池処理水中のアンモニア性窒素濃度の分析値と、図15に示す運転支援装置を用いた、系列2における反応タンク末端のアンモニア性窒素濃度計による計測値の比較図である。系列1において反応タンク末端の溶存酸素の目標値を決定する際に用いた反応タンク末端のアンモニア性窒素濃度と、系列2において目標とした反応タンク末端のアンモニア性窒素濃度はいずれも0.5mg/Lである。ここで、系列1と系列2は、反応タンクの形状、および散気装置の種類ともまったく異なるものである。アンモニア性窒素濃度の日最大値は、系列1では0.7mg/L、系列2では0.8mg/Lであった。このことから、本発明により構成した運転支援装置を用いることにより、良好な処理水質を達成できることが実証された。
【００５７】
以上のように本発明によれば、水処理施設に流入する下水の水量、反応タンクに流入する下水の水質、反応タンク好気槽の水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係、または反応タンク好気槽で採水した試料のアンモニア性窒素濃度分析値と前記の溶存酸素濃度計の計測値との関係に基づいて、反応タンク好気槽アンモニア性窒素濃度の目標値を満たすために必要となる溶存酸素濃度の目標値を定めたうえで、前記の溶存酸素濃度の目標値と前記の溶存酸素濃度の測定値との偏差に基づいて前記酸素量をフィードバック調整し、さらに、フィードバック調整された酸素量と散気装置の性能曲線とから必要な曝気風量を算出することができることから、この曝気風量を曝気風量制御装置の曝気風量設定部に転送することで、設定された曝気風量に一致するように曝気風量制御装置が曝気装置を制御することにより有機物及び窒素の処理を効果的に行うことができるため、良好な処理水質を安定的に保つことができる。
【００５８】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【００５９】
さらに、OR制御では系列毎に反応タンクに流入する下水の水質を計測するCOD濃度計およびアンモニア性窒素濃度計を設ける必要があるのに対し、請求項1に示す下水処理場の運転支援装置では1系列のみへの設置で済み、また、OR制御で必要となる、系列毎の反応タンクへのアンモニア性窒素濃度計、硝酸性窒素濃度計、水温計の設置が不要となるため、これらの導入コストおよび維持管理コストを縮減することが可能となる。
【図面の簡単な説明】
【００６０】
【図１】本発明の第1の実施の形態を示す概略図
【図２】本発明の第1の実施の形態においてアンモニア性窒素濃度計を一時的に設置した状態を示す概略図
【図３】図1における信号の流れを示すブロック図
【図４】本発明の第2の実施の形態を示す概略図
【図５】本発明の第2の実施の形態においてアンモニア性窒素濃度計を一時的に設置した状態を示す概略図
【図６】図4における信号の流れを示すブロック図
【図７】本発明の第3の実施の形態を示す概略図
【図８】本発明の第3の実施の形態においてアンモニア性窒素濃度計を一時的に設置した状態を示す概略図
【図９】図7における信号の流れを示すブロック図
【図１０】本発明の第4の実施の形態を示す概略図
【図１１】本発明の第4の実施の形態においてアンモニア性窒素濃度計を一時的に設置した状態を示す概略図
【図１２】図10における信号の流れを示すブロック図
【図１３】従来の運転支援装置(DO制御)を示す図
【図１４】図13における信号の流れを示すブロック図
【図１５】従来の運転支援装置(OR制御)を示す図
【図１６】図15における信号の流れを示すブロック図
【図１７】各種散気装置の効率の例
【図１８】散気装置の性能曲線の例
【図１９】COD濃度計計測値とBOD分析値との相関の例を示す図
【図２０】アンモニア性窒素濃度計計測値とケルダール窒素分析値との相関の例を示す図
【図２１】DOとアンモニア性窒素濃度の関係を示す図
【図２２】反応タンクに流入する下水のアンモニア性窒素濃度とBOD濃度の関係を示す図
【図２３】処理水アンモニア性窒素濃度の比較図
【発明を実施するための形態】
【実施例１】
【００６１】
以下、図面を参照して本発明の実施の形態について説明する。図1は本発明の第1の実施の形態を示す図である。
【００６２】
図1において、下水処理場の水処理施設10は、系列1と系列2のふたつの系列に分かれている。反応タンクに流入する下水の水質を測定する濃度計の有無の他は同一の構成であるため、系列1について、その詳細な構成を説明し、系列2については、系列1と異なる部分に限って説明する。系列1は下水が流入する最初沈殿池111と、反応タンク112と、最終沈殿池115とを備え、反応タンク内には散気装置117が設置されるとともに、散気装置117には曝気装置116が接続されている。
【００６３】
最初沈殿池111上流部に水処理施設10に流入する下水の水量を計測する流量計41を、反応タンク入口に反応タンク112に流入する下水の水質を計測するCOD濃度計142と、反応タンク112に流入する下水中のアンモニア性窒素濃度を計測するアンモニア性窒素濃度計143を設けるとともに、反応タンク112のMLSS濃度を計測するMLSS計145とDO濃度を計測するDO計146を設ける。
【００６４】
系列2には、反応タンクに流入する下水の水質を測定する濃度計は設けない。
【００６５】
図1において、最終沈殿池115と反応タンク112との間に、返送汚泥ポンプ119を有する返送ラインが設けられている。
【００６６】
図3は図1における信号の流れを示すブロック図である。
【００６７】
図3において、運転支援装置121は、必要な曝気風量を算出するために必要なパラメータを設定するパラメータ設定部122と、最初沈殿池111上流部に設置した流量計41、反応タンク入口に設置したCOD濃度計142、アンモニア性窒素濃度計143、反応タンク112に設置したMLSS計145、DO計146からの信号に基づいて、反応タンクに流入する下水中のBOD及びケルダール窒素を除去するために必要な酸素量を算出する必要酸素量演算部123と、あらかじめ、反応タンク好気槽に一時的に設置したアンモニア性窒素濃度計147の計測値と前記の溶存酸素濃度計146の計測値との関係に基づいて反応タンク好気槽アンモニア性窒素濃度の目標値を満たすために必要となる溶存酸素濃度の目標値を定めたうえで、溶存酸素濃度の目標値とDO計146の測定値との偏差に基づいて必要酸素量演算部123で算出した酸素量をフィードバック調整するフィードバック演算部124と、フィードバック調整後の酸素量と散気装置117の性能曲線に基づいて必要な曝気風量を算出し、曝気風量制御装置130の曝気風量設定部131に転送する曝気風量演算部125を備えている。
【００６８】
一方、曝気風量設定部131と曝気風量制御部132を持つ曝気風量制御装置130が曝気装置116に接続されており、曝気風量制御装置130は曝気風量アンサー値150が設定された曝気風量に一致するように曝気装置116を制御するようになっている。
【００６９】
ここで、曝気風量アンサー値とは、曝気装置によって散気装置に実際に供給された曝気風量のことである。
【００７０】
以下、パラメータ設定部122と、必要酸素量演算部123と、フィードバック演算部124と、曝気風量演算部125について説明する。
【００７１】
パラメータ設定部122では、曝気風量を算出するために必要となる、流入分配比、除去BODあたりに必要な酸素量、流入BODの除去率、流入ケルダール窒素の硝化率、内生呼吸係数、好気部分の反応タンク容積、MLVSS/MLSS比、COD濃度計の計測値からBODを算出するための乗数及び定数、アンモニア性窒素濃度計の計測値からケルダール窒素濃度を算出するための乗数及び定数、フィードバック演算に必要となる曝気係数の初期値、比例ゲイン、積分定数、溶存酸素濃度の目標値、散気装置の性能曲線などのパラメータがオペレータにより設定される。
【００７２】
必要酸素量演算部123では、パラメータ設定部122で設定されたパラメータと、流量計41、COD濃度計142、アンモニア性窒素濃度計143、MLSS計145の計測値に基づいて、流入水の有機物と窒素を除去するために必要な酸素量を算出する。
【００７３】
ここで、系列2においては、必要酸素量演算部223では、パラメータ設定部222で設定されたパラメータと、流量計41、COD濃度計142、アンモニア性窒素濃度計143、MLSS計245の計測値に基づいて、流入水の有機物と窒素を除去するために必要な酸素量を算出する。
【００７４】
流入分配比が等しく、最初沈殿池除去率も同一であれば、系列1の反応タンク112に流入する下水の水質と、系列2の反応タンク212に流入する下水の水質は等しくなるが、一般的には流入分配率や最初沈殿池除去率は系列ごとに異なり、その結果、反応タンクに流入する下水の水質も異なる場合が多い。
【００７５】
したがって、系列2における必要酸素量を算出する際に、系列1に設置されたCOD濃度計142、アンモニア性窒素濃度計143を用いた場合、算出された必要酸素量は系列1と系列2の反応タンクに流入する下水の水質の違いに起因する誤差を含んだものとなる。
【００７６】
本実施形態においては、フィードバック演算部224の作用により、このような誤差に対処している。
【００７７】
フィードバック演算部124では、溶存酸素濃度の目標値とDO計146の計測値との偏差に基づいて、酸素必要量をフィードバック調整する。
【００７８】
曝気風量演算部125では、フィードバック調整後の酸素量と散気装置117の性能曲線に基づいて必要な曝気風量を算出し、曝気風量制御装置130の曝気風量設定部131に転送する。
【００７９】
曝気風量制御装置130の曝気風量制御部132では曝気風量設定部131に設定された曝気風量と曝気装置116からの曝気風量アンサー値150との偏差に基づき、曝気風量アンサー値150が曝気風量設定部131に入力された曝気風量に一致するように曝気装置116を制御する。
【００８０】
次に、本実施形態における作用について説明する。
【００８１】
下水は最初沈殿池111において、比較的粗大な浮遊物が沈殿除去される。反応タンク112では、下水が活性汚泥と混合されて曝気装置116から散気装置117を介して送られる空気によって曝気され、活性汚泥に含まれる微生物の代謝作用により有機物が除去される。活性汚泥混合液は最終沈殿池115において、活性汚泥が沈降することによって浄化される。
【００８２】
下水の窒素除去のため、反応タンク112は好気槽114と無酸素槽113とに分けられ、好気槽114では下水中のアンモニア等の窒素化合物が酸化されて硝酸となる。好気槽114で生成された硝酸は好気槽114から返送汚泥を通じて無酸素槽113に送られ、無酸素槽113において、活性汚泥の硝酸呼吸の結果、窒素ガスとなり、大気中に除去される。
【００８３】
この間、運転支援装置121の必要酸素量演算部123では、オペレータにより運転支援装置121のパラメータ設定部122に設定された各種のパラメータと、反応タンク入口に設置した流量計41、COD濃度計142、アンモニア性窒素濃度計143、反応タンク112に設置したMLSS計145からの信号に基づいて、有機物及び窒素を除去するために必要な酸素量を算出する。
【００８４】
必要な曝気風量を算出するための方法についてさらに述べる。
【００８５】
酸素必要量演算部123は、BODの酸化に必要な酸素量、硝化反応に必要な酸素量、内生呼吸に必要な酸素量を算出したうえで、これらを合計することにより、反応タンクに流入する下水中の有機物と窒素を除去するために必要な酸素量を算出する第1の算出手段を備えている。
【００８６】
第1の算出手段では、流量計41とCOD濃度計142の計測値に基づき算出したBOD負荷量に反応タンクでのBOD除去率を乗じた値から、反応タンク112で活性汚泥により酸化されるBOD量を算出し、前記BOD量からBODの酸化に必要な酸素量を算出する。
【００８７】
また、流量計41とアンモニア性窒素濃度計143の計測値に基づき算出したケルダール窒素負荷量から、余剰汚泥によるケルダール窒素除去量を減じることにより反応タンク112で活性汚泥により酸化されるケルダール窒素量を算出し、前記ケルダール窒素量から硝化反応に必要な酸素量を算出する。
【００８８】
さらに、MLSS計145の計測値に基づき、内生呼吸に必要な酸素量を算出する。
【００８９】
そのうえで、BODの酸化に必要な酸素量と、硝化反応に必要な酸素量と、内生呼吸に必要な酸素量とを合計することにより反応タンクに流入する下水中の有機物と窒素を除去するために必要な酸素量を算出する。
【００９０】
第1の算出手段は式（1）〜（3）によって示すことができる
【００９１】
【数１】
0006532397.tif 000062
0006532397.tif 000063
【００９２】
反応タンクに流入する下水中のBODとケルダール窒素を除去するために必要な酸素量を算出するためには、反応タンクに流入する下水の水量を知る必要があるが、水処理施設に流入する下水の水量を測定する流量計の設置は普通であるが、反応タンクに流入する下水の水量を測定する流量計が系列毎に設置されることは希である。
【００９３】
そのため、水処理施設に流入する下水の水量を測定する流量計の計測値に基づいて、反応タンクに流入する下水の水量を算出することになるが、反応タンクに流入する下水の水量は均等になるとは限らず、水処理施設に流入する下水の水量から、系列毎に反応タンクへの流入量を算出するためには、系列毎に固有の流入分配比を用いる必要がある。
【００９４】
流入分配比は、反応タンクに流入する下水の水量を仮設の流量計で測定し、これを水処理施設に流入する下水の水量を測定する流量計の計測値で除すことにより算出することができるが、流入分配比は不変ではなく、水処理施設に流入する下水の水量によって変化することが多いため、反応タンクに流入する下水の水量の仮設の流量計による測定継続時間は、24時間以上とすることが望ましい。
【００９５】
式（1）において、BOD濃度BODinは、図19に示すようにCOD濃度計の計測値とBODの分析結果が高い相関を示すことを根拠として、BOD分析値とCOD濃度計計測値との相関関係をもとにして、濁度計計測値CODinから次式により算出する。
【００９６】
【数２】
0006532397.tif 000064
であり、これらの値は下水処理場によって、また、同じ下水処理場においても季節変動等により変化するものであることから、反応タンクに流入する下水の水質分析を行い、図１９の例に示すような相関式を算出することにより定める。
【００９７】
また、ケルダール窒素濃度KjNinは、図２０に示すようにアンモニア性窒素濃度計計測値とケルダール窒素分析値が高い相関を示すことを根拠として、
ケルダール窒素分析値とアンモニア性窒素濃度計計測値との相関関係をもとにして、アンモニア性窒素濃度計計測値NHinから次式により算出する。
【００９８】
【数３】
0006532397.tif 000065
であり、これらの値は下水処理場によって、また、同じ下水処理場においても季節変動等により変化するものであることから、反応タンクに流入する下水の水質分析を行い、図20の例に示すような相関式を算出することにより定める。
【００９９】
第2の算出手段では、（4）〜（6）によって溶存酸素濃度の目標値SV_DO(t)とDO計45の測定値PV_DO (t)の偏差e(t)に基づいて、必要酸素量OR(t)の補正を行う。
【０１００】
【数４】
0006532397.tif 000066
【０１０１】
溶存酸素濃度の目標値は、あらかじめ、反応タンク好気槽に一時的に設置したアンモニア性窒素濃度計147の計測値と溶存酸素濃度計146の計測値との関係に基づいて反応タンク好気槽アンモニア性窒素濃度の目標値を満たすことを基準として定めておく。
【０１０２】
溶存酸素濃度の目標値を設定する方法について、さらに述べる。
【０１０３】
図2に、第1の実施形態において、反応タンク好気槽114に一時的にアンモニア性窒素濃度計147を設置した状態を示す。
【０１０４】
反応タンク好気槽114に一時的に設置したアンモニア性窒素濃度計147の計測値は、運転支援装置121のフィードバック演算部124に入力され、一定間隔で、日付、時刻、溶存酸素濃度計146の計測値とともに参照可能な形態で記録される。
【０１０５】
溶存酸素濃度の目標値は、図21に示すように、反応タンク好気槽の溶存酸素濃度とアンモニア性窒素濃度が高い相関性を示すことを根拠として、あらかじめ、反応タンク好気槽114に一時的に設置したアンモニア性窒素濃度計147の計測値と溶存酸素濃度計146の計測値との関係に基づいて、反応タンク好気槽アンモニア性窒素濃度の目標値を満たすことを基準として定める。
【０１０６】
反応タンク内では入口側に近いほど有機物成分濃度や窒素成分濃度が高く、これらを処理するために必要とする酸素量が多くなるため、一般的にはDOは入口側に近いほど低く、出口側に近づくに従って高くなるというようにタンク内の流れ方向に勾配を持って分布している。このDOの勾配は一定ではなく、流入水の水量や水質によって変化しており、負荷が低い場合は勾配が緩く、負荷が高くなるに従って勾配が急となる。
【０１０７】
一方、生活排水の処理を主とする下水処理場において、流入水の水量や水質はひとの生活パターンによって周期的な変動を示すことが多い。
【０１０８】
そのため、アンモニア性窒素濃度計の計測値と溶存酸素濃度計の計測値との関係は、少なくとも、1週間を超える期間の計測値をもとに定めることが望ましい。
【０１０９】
式(1)により算出した反応タンクに流入する下水中のBOD及びケルダール窒素を除去するために必要な酸素量をこの方法によって補正し、この補正後の必要酸素量と散気装置117の性能曲線に基づいて必要な曝気風量を算出する。
【０１１０】
このようにして必要酸素量を算出したうえで、第3の算出手段により、この必要酸素量と散気装置117の性能曲線に基づいて必要な曝気風量を算出する。その算出手段は次式によって示される。
【０１１１】
【数５】
0006532397.tif 000067
0006532397.tif 000068
【０１１２】
混合液に対する酸素移動効率EA1は図18の散気装置の性能曲線の例に示すように曝気風量が増加するに従って低下する。そのため、混合液に対する酸素移動効率EA1の値は固定した値ではなく、曝気風量によって変化する値として次式によって算出する。
【０１１３】
【数６】
0006532397.tif 000069
である。
【０１１４】
このようにして算出された曝気風量は曝気風量制御装置130の曝気風量設定部131に転送される。
【０１１５】
曝気風量制御装置130の曝気風量制御部132では曝気風量設定部131に設定された曝気風量と曝気装置116からの曝気風量アンサー値150との偏差に基づき、曝気風量アンサー値が曝気風量設定部131に入力された曝気風量に一致するように曝気装置116を制御する。
【０１１６】
このように本実施の形態によれば、反応タンクに流入する下水の水量と水質、反応タンク好気槽の水質からBODとケルダール窒素を除去するために必要な酸素量を算出し、あらかじめ、反応タンク好気槽に一時的に設置したアンモニア性窒素濃度計の計測値と前記の溶存酸素濃度計の計測値との関係に基づいて反応タンク好気槽アンモニア性窒素濃度の目標値を満たすために必要となる溶存酸素濃度の目標値を定めたうえで、前記の溶存酸素濃度の測定値と目標値との偏差に基づいて前記酸素量をフィードバック調整し、さらに、算出された必要酸素量と散気装置の性能曲線とから必要な曝気風量を算出することができることから、この曝気風量を曝気風量制御装置の曝気風量設定部に転送することで、設定された曝気風量に一致するように曝気風量制御装置が曝気装置を制御することにより有機物及び窒素の処理を効果的に行うことができ、良好な処理水質を安定的に保つことができる。
【０１１７】
また、算出された曝気風量はその時点での下水の水量と水質の測定値等に基づいたものであるため、経験や勘による運転設定とは異なり予想外の変動に備えて余裕を見た設定を行う必要がないことから、DO制御によって運転を行った場合よりも少ない曝気風量での運転が可能となる。
【０１１８】
さらに、OR制御で必要となる、反応タンクへのアンモニア性窒素濃度計、硝酸性窒素濃度計、水温計の設置が不要となるため、これらの導入コストおよび維持管理コストを縮減することが可能となる。
【実施例２】
【０１１９】
次に図4により本発明の第2の実施の形態について説明する。
【０１２０】
図4において、下水処理場の水処理施設10は、系列1と系列2のふたつの系列に分かれている。反応タンクに流入する下水の水質を測定する濃度計の有無の他は同一の構成であるため、系列1について、その詳細な構成を説明し、系列2については、系列1と異なる部分に限って説明する。
【０１２１】
図4に示す第2の実施の形態はアンモニア性窒素濃度を計測するアンモニア性窒素濃度計143を、反応タンク無酸素槽113に設置したものであり、他は図1に示す第1の実施の形態と同一である。
【０１２２】
図4において、図1に示す第1の実施の形態と同一部分には同一符号を付して詳細な説明は省略する。
【０１２３】
図6は図4における信号の流れを示すブロック図である。
【０１２４】
図6において、図3に示す図1における信号の流れを示すブロック図と同一部分には同一符号を付して詳細な説明は省略する。
【０１２５】
パラメータ設定部122では、汚泥返送比、反応タンク無酸素槽113に設置したアンモニア性窒素濃度計143の計測値から反応タンク無酸素槽113のケルダール窒素濃度を算出するための乗数及び定数が本実施形態に特有なパラメータとしてオペレータにより設定される。
【０１２６】
必要酸素量演算部123は、パラメータ設定部122で設定されたパラメータと、流量計41、COD濃度計142、アンモニア性窒素濃度計143、MLSS計145の計測値に基づいて、流入水の有機物と窒素を除去するために必要な酸素量を算出する第1の算出手段を備える。
【０１２７】
ここで、系列2においては、必要酸素量演算部223では、パラメータ設定部222で設定されたパラメータと、流量計41、COD濃度計142、アンモニア性窒素濃度計143、MLSS計245の計測値に基づいて、流入水の有機物と窒素を除去するために必要な酸素量を算出する。
【０１２８】
フィードバック演算部124は、溶存酸素濃度の目標値とDO計146の計測値との偏差に基づいて、酸素必要量をフィードバック調整する第2の算出手段を備える。
【０１２９】
溶存酸素濃度の目標値は、あらかじめ、反応タンク好気槽114に一時的に設置したアンモニア性窒素濃度計147の計測値と溶存酸素濃度計146の計測値との関係に基づいて反応タンク好気槽アンモニア性窒素濃度の目標値を満たすことを基準として定めておく。
【０１３０】
図5に、第2の実施形態において、反応タンク好気槽114に一時的にアンモニア性窒素濃度計147を設置した状態を示す。
【０１３１】
反応タンク好気槽114に一時的に設置したアンモニア性窒素濃度計147の計測値は、運転支援装置121のフィードバック演算部124に入力され、一定間隔で、日付、時刻、溶存酸素濃度計146の計測値とともに参照可能な形態で記録される。
【０１３２】
曝気風量演算部125は、フィードバック調整後の酸素量と散気装置117の性能曲線に基づいて必要な曝気風量を算出し、曝気風量制御装置130の曝気風量設定部131に転送する第3の算出手段を備える。
【０１３３】
曝気風量制御装置130の曝気風量制御部132では曝気風量設定部131に設定された曝気風量と曝気装置116からの曝気風量アンサー値150との偏差に基づき、曝気風量アンサー値150が曝気風量設定部131に入力された曝気風量に一致するように曝気装置116を制御する。
【０１３４】
次に、本実施形態における作用について説明する。
【０１３５】
下水の窒素除去のため、反応タンク112は好気槽114と無酸素槽113とに分けられ、好気槽114では下水中のアンモニア等の窒素化合物が酸化されて硝酸となる。好気槽114で生成された硝酸は好気槽114から返送汚泥を通じて無酸素槽113に送られ、無酸素槽113において、活性汚泥の硝酸呼吸の結果、窒素ガスとなり、大気中に除去される。
【０１３６】
この間、無酸素槽113では硝化反応は生じないため、好気槽114において硝化に必要となる酸素量は無酸素槽113に設置したアンモニア性窒素濃度計143の測定値に基づいて算出することができる。
【０１３７】
一般的に、流入水質を測定する濃度計は汚れによる誤差を生じやすい。これは、下水に含まれる油脂やカルシウムなどが検出部に付着することによるものである。このような現象を防止するために、水洗浄、空気洗浄、超音波洗浄などの洗浄機能を付加することも可能であるが、流入水質を測定する濃度計においては、このような措置を取った場合でも、汚れの影響を防ぐことは困難であり、定期的なメンテナンスが必要となっている。
【０１３８】
本実施例においては、下水に含まれる油脂やカルシウムなどの検出部への付着を抑制することを目的として、アンモニア性窒素濃度計を無酸素槽に設置している。無酸素槽においては、返送汚泥による希釈効果、活性汚泥の初期吸着効果などにより油脂やカルシウムなどの濃度が低下するため、検出部への汚れの付着が抑制される。
【０１３９】
第2の実施の形態においては反応タンクに流入する下水中のBOD及びケルダール窒素を除去するために必要な酸素量を算出する第1の算出手段は、式（9）〜（11）により示すことができる。
【０１４０】
【数７】
0006532397.tif 000070
0006532397.tif 000071
【０１４１】
式（9）において、BOD濃度BODinは、図19に示すようにCOD濃度計の計測値とBODの分析結果が高い相関を示すことを根拠として、BOD分析値とCOD濃度計計測値との相関関係をもとにして、濁度計計測値CODinから次式により算出する。
【０１４２】
【数８】
0006532397.tif 000072
【０１４３】
また、ケルダール窒素濃度KjNANは、図20に示すようにアンモニア性窒素濃度計計測値とケルダール窒素分析値が高い相関を示すことを根拠として、ケルダール窒素分析値とアンモニア性窒素濃度計計測値との相関関係をもとにして、反応タンク無酸素槽アンモニア性窒素濃度計計測値NHANから次式により算出する。
【０１４４】
【数９】
0006532397.tif 000073
【０１４５】
第2の算出手段では、反応タンク好気槽114に一時的に設置したアンモニア性窒素濃度計147の計測値と前記の溶存酸素濃度計146の計測値との関係に基づいて反応タンク好気槽アンモニア性窒素濃度の目標値を満たすために必要となる溶存酸素濃度の目標値を定めたうえで、前記の溶存酸素濃度の測定値と目標値との偏差に基づいて、式（9）〜（11）により算出したBODとケルダール窒素を除去するために必要な酸素量をフィードバック調整し、そのうえで、第3の算出手段により、算出された必要酸素量と散気装置117の性能曲線とから必要な曝気風量を算出し、この曝気風量を曝気風量制御装置130の曝気風量設定部131に転送する。
【０１４６】
本実施形態によれば、第1の実施の形態に示す運転支援装置と同様な効果が得られる他、アンモニア性窒素濃度計の計測対象を反応タンクに流入する下水から、反応タンク内において反応タンク好気槽の前段に配置される反応タンク嫌気槽または反応タンク無酸素槽としたことにより、アンモニア性窒素濃度計への汚濁物質による影響が軽減されることとなり、維持管理コストのより一層の軽減が可能となる。
【実施例３】
【０１４７】
次に図7により本発明の第3の実施の形態について説明する。
【０１４８】
図7において、下水処理場の水処理施設10は、系列1と系列2のふたつの系列に分かれている。反応タンクに流入する下水の水質を測定する濃度計の有無の他は同一の構成であるため、系列1について、その詳細な構成を説明し、系列2については、系列1と異なる部分に限って説明する。
【０１４９】
図7に示す第3の実施の形態は反応タンク112に流入する下水のCOD濃度を計測するCOD濃度計142と、反応タンク好気槽112のMLSS濃度を計測するMLSS計145を除いたものであり、他は図1に示す第1の実施の形態と同一である。
【０１５０】
図7において、図1に示す第1の実施の形態と同一部分には同一符号を付して詳細な説明は省略する。
【０１５１】
図9は図7における信号の流れを示すブロック図である。
【０１５２】
図9において、図3に示す図1における信号の流れを示すブロック図と同一部分には同一符号を付して詳細な説明は省略する。
【０１５３】
パラメータ設定部122では、反応タンク112に流入する下水中のアンモニア性窒素濃度を計測するアンモニア性窒素濃度計143の測定値から、反応タンク112に流入する下水中のBODを算出するための乗数及び定数が本実施形態に特有なパラメータとしてオペレータにより設定される。
【０１５４】
必要酸素量演算部123は、パラメータ設定部122で設定されたパラメータと、流量計41、アンモニア性窒素濃度計143の計測値に基づいて、流入水の有機物と窒素を除去するために必要な酸素量を算出する第1の算出手段を備える。
【０１５５】
ここで、系列2においては、必要酸素量演算部223では、パラメータ設定部222で設定されたパラメータと、流量計41、COD濃度計142、アンモニア性窒素濃度計143の計測値に基づいて、流入水の有機物と窒素を除去するために必要な酸素量を算出する。
【０１５６】
フィードバック演算部124は、溶存酸素濃度の目標値とDO計146の計測値との偏差に基づいて、酸素必要量をフィードバック調整する第2の算出手段を備える。
【０１５７】
溶存酸素濃度の目標値は、あらかじめ、反応タンク好気槽114に一時的に設置したアンモニア性窒素濃度計147の計測値と溶存酸素濃度計146の計測値との関係に基づいて反応タンク好気槽アンモニア性窒素濃度の目標値を満たすことを基準として定めておく。
【０１５８】
図8に、第3の実施形態において、反応タンク好気槽114に一時的にアンモニア性窒素濃度計147を設置した状態を示す。
【０１５９】
反応タンク好気槽114に一時的に設置したアンモニア性窒素濃度計147の計測値は、運転支援装置121のフィードバック演算部124に入力され、一定間隔で、日付、時刻、溶存酸素濃度計146の計測値とともに参照可能な形態で記録される。
【０１６０】
曝気風量演算部125は、フィードバック調整後の酸素量と散気装置117の性能曲線に基づいて必要な曝気風量を算出し、曝気風量制御装置130の曝気風量設定部131に転送する第3の算出手段を備える。
【０１６１】
曝気風量制御装置130の曝気風量制御部132では曝気風量設定部131に設定された曝気風量と曝気装置116からの曝気風量アンサー値150との偏差に基づき、曝気風量アンサー値150が曝気風量設定部131に入力された曝気風量に一致するように曝気装置116を制御する。
【０１６２】
次に、本実施形態における作用について説明する。
【０１６３】
家庭排水を主とする下水において、下水中の有機物濃度と窒素濃度は、多少の時間的なずれはあるものの、ほぼ同じ挙動を示すことが一般的である。すなわち、ひとが活動をはじめる明け方から上昇をはじめ、昼頃から夕方にかけて一旦低下したのち、夕方から深夜にかけて再度上昇し、日が変わる頃からふたたび低下する。
【０１６４】
そのため、図22に示すように、下水中のBODとケルダール窒素を散布図にプロットすると、高い相関関係が得られることが一般的である。
【０１６５】
そのため、第3の実施の形態においては反応タンクに流入する下水中のBOD及びケルダール窒素を除去するために必要な酸素量を算出する第1の算出手段は、式（12）〜（14）により示すことができる。
【０１６６】
【数１０】
0006532397.tif 000074
【０１６７】
式（12）において、BOD濃度BODinは、図22に示すように反応タンクに流入する下水のアンモニア性窒素濃度計計測値とBOD分析値が高い相関を示すことを根拠として、アンモニア性窒素濃度計計測値とBOD分析値との相関関係をもとにして、アンモニア性窒素濃度計計測値NHinから次式により算出する。
【０１６８】
【数１１】
0006532397.tif 000075
【０１６９】
また、ケルダール窒素濃度KjNinは、図20に示すようにアンモニア性窒素濃度計計測値とケルダール窒素分析値が高い相関を示すことを根拠として、ケルダール窒素分析値とアンモニア性窒素濃度計計測値との相関関係をもとにして、反応タンクに流入する下水の水質を測定するアンモニア性窒素濃度計の計測値NHinから次式により算出する。
【０１７０】
【数１２】
0006532397.tif 000076
【０１７１】
本実施形態においては、第1の算出手段によりBODとケルダール窒素を除去するために必要な酸素量を算出し、第2の算出手段により、あらかじめ、反応タンク好気槽に一時的に設置したアンモニア性窒素濃度計147の計測値と前記の溶存酸素濃度計146の計測値との関係に基づいて反応タンク好気槽アンモニア性窒素濃度の目標値を満たすために必要となる溶存酸素濃度の目標値を定めたうえで、前記の溶存酸素濃度の測定値と目標値との偏差に基づいて前記酸素量をフィードバック調整し、さらに、第3の算出手段により、算出された必要酸素量と散気装置117の性能曲線とから必要な曝気風量を算出したうえで、この曝気風量を曝気風量制御装置130の曝気風量設定部131に転送する。
【０１７２】
本実施形態によれば、第1の実施の形態に示す運転支援装置と同様な効果が得られる他、COD濃度計の設置が不要となることから、導入コストおよび維持管理コストをさらに縮減することが可能となる。
【０１７４】
次に図10により本発明の第4の実施の形態について説明する。
【０１７５】
図10において、下水処理場の水処理施設10は、系列1と系列2のふたつの系列に分かれている。反応タンクに流入する下水の水量を測定する流量計、水質を測定する濃度計の有無、反応タンクの水質を測定するアンモニア性窒素濃度計、硝酸性窒素濃度計、水温計、DO計の有無の他は同一の構成であるため、系列1について、その詳細な構成を説明し、系列2については、系列1と異なる部分に限って説明する。
【０１７６】
図10に示す第4の実施の形態は、系列1においては、水処理施設10に流入する下水の流量を測定する流量計に代えて、反応タンクに流入する下水の流量を測定する流量計141を設け、反応タンク好気槽114の水質を測定するDO計に代えて、反応タンク好気槽114の水質を測定するアンモニア性窒素濃度計147、硝酸性窒素濃度計148、水温計149を設け、系列2においては、反応タンク好気槽214の水質を測定するMLSS計を除いたものであり、他は図1に示す第1の実施の形態と同一である。
【０１７７】
図10において、図1に示す第1の実施の形態と同一部分には同一符号を付して詳細な説明は省略する。
【０１７８】
図12は図10における信号の流れを示すブロック図である。
【０１７９】
図12において、図3に示す図1における信号の流れを示すブロック図と同一部分には同一符号を付して詳細な説明は省略する。
【０１８０】
パラメータ設定部122では、脱窒により消費される下水のBOD量、汚泥返送比、参照温度における内生呼吸係数、水温補正係数などが本実施形態に特有なパラメータとしてオペレータにより設定される。
【０１８１】
必要酸素量演算部123は、パラメータ設定部122で設定されたパラメータと、流量計141、COD濃度計142、アンモニア性窒素濃度計143、MLSS計145、アンモニア性窒素濃度計147、硝酸性窒素濃度計148、水温計149の計測値に基づいて、流入水の有機物と窒素を除去するために必要な曝気風量を算出する第1の算出手段を備える。
【０１８２】
フィードバック演算部124は、反応タンク好気槽114のアンモニア性窒素濃度の目標値とアンモニア性窒素濃度計147の計測値との偏差に基づいて、必要な酸素量をフィードバック調整する第2の算出手段を備える。
【０１８３】
ここで、系列2においては、パラメータ設定部222で設定されたパラメータと、運転支援装置121の必要酸素量演算部123で算出された必要酸素量に基づいて、流入水の有機物と窒素を除去するために必要な酸素量を算出する第3の手段を必要酸素量演算部223に備える。
【０１８４】
また、系列2においては、フィードバック演算部224は、溶存酸素濃度の目標値とDO計246の計測値との偏差に基づいて、必要な酸素量をフィードバック調整する第4の算出手段を備える。
【０１８５】
溶存酸素濃度の目標値は、あらかじめ、反応タンク好気槽214に一時的に設置したアンモニア性窒素濃度計247の計測値と溶存酸素濃度計246の計測値との関係に基づいて反応タンク好気槽アンモニア性窒素濃度の目標値を満たすことを基準として定めておく。
【０１８６】
図11に、第4の実施形態において、反応タンク好気槽214に一時的にアンモニア性窒素濃度計247を設置した状態を示す。
【０１８７】
反応タンク好気槽214に一時的に設置したアンモニア性窒素濃度計247の計測値は、運転支援装置221のフィードバック演算部224に入力され、一定間隔で、日付、時刻、溶存酸素濃度計246の計測値とともに参照可能な形態で記録される。
【０１８８】
曝気風量演算部125は、フィードバック調整後の酸素量と散気装置117の性能曲線に基づいて必要な曝気風量を算出し、曝気風量制御装置130の曝気風量設定部131に転送する第5の算出手段を備える。
【０１８９】
曝気風量制御装置130の曝気風量制御部132では曝気風量設定部131に設定された曝気風量と曝気装置116からの曝気風量アンサー値150との偏差に基づき、曝気風量アンサー値150が曝気風量設定部131に入力された曝気風量に一致するように曝気装置116を制御する。
【０１９０】
次に、本実施形態における作用について説明する。
【０１９１】
反応タンクに流入する下水中のBODとケルダール窒素を除去するために必要な酸素量をより正確に算出するためには、反応タンク好気槽のアンモニア性窒素の目標値と計測値との差に基づいて硝化に必要な酸素量を補正し、反応タンク好気槽の硝酸性窒素濃度に基づいて脱窒によるBOD除去量を算出するとともに、反応タンク好気槽の水温に基づいて内生呼吸に必要となる酸素量を補正することが有効である。
【０１９２】
そのため、第4の実施の形態においては、系列1の反応タンクに流入する下水中のBOD及びケルダール窒素を除去するために必要な酸素量を算出する第1の算出手段は、式（15）〜（18）により示すことができる。
【０１９３】
【数１３】
0006532397.tif 000077
0006532397.tif 000078
【０１９４】
式（15）において、BOD濃度BODinは、図19に示すようにCOD濃度計の計測値とBODの分析結果が高い相関を示すことを根拠として、BOD分析値とCOD濃度計計測値との相関関係をもとにして、濁度計計測値CODinから次式により算出する。
【０１９５】
【数１４】
0006532397.tif 000079
【０１９６】
また、ケルダール窒素濃度KjNinは、図20に示すようにアンモニア性窒素濃度計計測値とケルダール窒素分析値が高い相関を示すことを根拠として、ケルダール窒素分析値とアンモニア性窒素濃度計計測値との相関関係をもとにして、反応タンクに流入する下水の水質を測定するアンモニア性窒素濃度計の計測値NHinから次式により算出する。
【０１９７】
【数１５】
0006532397.tif 000080
【０１９８】
式（15）において、内生呼吸係数Bは反応タンク好気槽114に設置された水温計149の計測値Tに基づき、次式により算出する。
【０１９９】
【数１６】
0006532397.tif 000081
【０２００】
第2の算出手段では、式（19）〜（21）によって反応タンク末端のアンモニア性窒素濃度の目標値SV_N (t)と反応タンク好気槽に設置したアンモニア性窒素濃度計147の計測値PV_N (t)の偏差e(t)に基づいて、必要酸素量OR(t)の補正を行う。
【０２０１】
【数１７】
0006532397.tif 000082
【０２０２】
第1の算出手段により算出した反応タンクに流入する下水中のBOD及びケルダール窒素を除去するために必要な酸素量をこの方法によって補正し、この補正後の必要酸素量と散気装置117の性能曲線に基づいて第3の算出手段により必要な曝気風量を算出する。
【０２０３】
一方、系列2の反応タンクに流入する下水中のBOD及びケルダール窒素を除去するために必要な酸素量は、系列1において第1の算出手段により算出された必要酸素量に基づいて、第3の算出手段により算出する。第3の算出手段は式（22）により示すことができる。
【０２０４】
【数１８】
0006532397.tif 000083
0006532397.tif 000084
【０２０５】
第4の算出手段では、（23）〜（25）によって溶存酸素濃度の目標値SV_DO(t)とDO計45の測定値PV_DO (t)の偏差e(t)に基づいて、必要酸素量OR(t)の補正を行う。
【０２０６】
【数１９】
0006532397.tif 000085
【０２０７】
本実施形態においては、系列1では、第1の算出手段によりBODとケルダール窒素を除去するために必要な酸素量を算出し、第2の算出手段により反応タンク末端のアンモニア性窒素濃度の目標値と反応タンク好気槽に設置したアンモニア性窒素濃度計147の計測値に基づいて、第1の算出手段により算出した必要な酸素量をフィードバック調整し、系列2では、系列1で第1の算出手段により算出されたBODとケルダール窒素を除去するために必要な酸素量に基づいて、第3の算出手段により系列2でBODとケルダール窒素を除去するために必要な酸素量を算出し、第4の算出手段により溶存酸素濃度の目標値とDO計246の計測値との偏差に基づいて、第3の算出手段により算出した必要な酸素量をフィードバック調整し、さらに、第2の算出手段及び第4の算出手段により算出された必要酸素量と散気装置117及び散気装置217の性能曲線に基づいて、第５の算出手段により必要な曝気風量を系列ごとに算出したうえで、これらの曝気風量を曝気風量制御装置130の曝気風量設定部131及び曝気風量制御装置230の曝気風量設定部231に転送する。
【０２０８】
本実施形態によれば、第1の実施の形態に示す運転支援装置と同様な効果が得られる他、系列1において、反応タンク好気槽のアンモニア性窒素の目標値と計測値との差に基づいて硝化に必要な酸素量を補正し、反応タンク好気槽の硝酸性窒素濃度に基づいて脱窒によるBOD除去量を算出するとともに、反応タンク好気槽の水温に基づいて内生呼吸に必要となる酸素量を補正することができるため、反応タンクに流入する下水中のBODとケルダール窒素を除去するために必要な酸素量をより正確に算出することが可能となるため、算出された必要な酸素量を反応タンク好気槽のアンモニア性窒素濃度の目標値とアンモニア性窒素濃度計の計測値との偏差に基づいてフィードバック調整し、フィードバック調整後の酸素量と散気装置の性能曲線に基づいて必要な曝気風量を算出し、曝気風量制御装置の曝気風量設定部に転送することで、設定された曝気風量に一致するように曝気風量制御装置が曝気装置を制御することにより有機物及び窒素の処理をより効果的に行うことができ、良好な処理水質をさらに安定的に保つことができる。
【０２０９】
また、系列2においても、系列1で算出された反応タンクに流入する下水中のBODとケルダール窒素を除去するために必要な酸素量を利用するため、系列1と同様の効果が得られる。
【０２１０】
なお、上述した各実施例は無酸素槽113と好気槽114をそれぞれひとつずつ有し、反応タンクに流入する下水は全量が無酸素槽113に流入するプロセスについて示したが、無酸素槽113と好気槽114の組み合わせを複数有し、それぞれの無酸素槽113に反応タンクに流入する下水を分割して流入させるプロセス、無酸素槽113の前段に嫌気槽を有し反応タンクに流入する下水は全量が嫌気槽に流入するプロセス、さらに、このプロセスにおいて、好気槽114から無酸素槽113に硝化液を循環させるプロセスなど、曝気を行う下水処理プロセスであればどのようなプロセスにも適用することができる。
【０２１１】
また、系列数は実施例に示した2系列に限らず、2系列以上であれば何系列でも適用することができる。
【０２１２】
さらに、曝気装置は上記の実施例のように各系列で独立したものでなくとも、ひとつの曝気装置から複数の系列に空気を供給する装置であって、曝気装置から散気装置に至る配管上の風量調整弁の制御を行い、曝気風量を調整するような構成としてもよい。
【符号の説明】
【０２１３】
10・・・水処理施設
111・・・1号最初沈殿池
112・・・1号反応タンク
113・・・1号無酸素槽
114・・・1号好気槽
115・・・1号最終沈殿池
116・・・1号曝気装置
117・・・1号散気装置
118・・・1号生汚泥ポンプ
119・・・1号返送汚泥ポンプ
120・・・1号余剰汚泥ポンプ
121・・・1号運転支援装置
122・・・1号パラメータ設定部
123・・・1号必要酸素量演算部
124・・・1号フィードバック演算部
125・・・1号曝気風量演算部
128・・・1号DOコントローラ
130・・・1号曝気風量制御装置
131・・・1号曝気風量設定部
132・・・1号曝気風量制御部
41・・・流量計
141・・・1号流量計
142・・・1号COD濃度計
143・・・1号アンモニア性窒素濃度計
145・・・1号MLSS計
146・・・1号DO計
147・・・1号アンモニア性窒素濃度計
148・・・1号硝酸性窒素濃度計
149・・・1号水温計
150・・・1号曝気風量アンサー値
211・・・2号最初沈殿池
212・・・2号反応タンク
213・・・2号無酸素槽
214・・・2号好気槽
215・・・2号最終沈殿池
216・・・2号曝気装置
217・・・2号散気装置
218・・・2号生汚泥ポンプ
219・・・2号返送汚泥ポンプ
220・・・2号余剰汚泥ポンプ
221・・・2号運転支援装置
222・・・2号パラメータ設定部
223・・・2号必要酸素量演算部
224・・・2号フィードバック演算部
225・・・2号曝気風量演算部
228・・・2号DOコントローラ
230・・・2号曝気風量制御装置
231・・・2号曝気風量設定部
232・・・2号曝気風量制御部
241・・・2号流量計
242・・・2号COD濃度計
243・・・2号アンモニア性窒素濃度計
245・・・2号MLSS計
246・・・2号DO計
247・・・1号アンモニア性窒素濃度計
248・・・2号硝酸性窒素濃度計
249・・・2号水温計
250・・・2号曝気風量アンサー値
【図１】
0006532397.tif 000146
【図２】
0006532397.tif 000147
【図３】
0006532397.tif 000148
【図４】
0006532397.tif 000149
【図５】
0006532397.tif 000150
【図６】
0006532397.tif 000151
【図７】
0006532397.tif 000152
【図８】
0006532397.tif 000153
【図９】
0006532397.tif 000154
【図１０】
0006532397.tif 000155
【図１１】
0006532397.tif 000156
【図１２】
0006532397.tif 000157
【図１３】
0006532397.tif 000158
【図１４】
0006532397.tif 000159
【図１５】
0006532397.tif 000160
【図１６】
0006532397.tif 000161
【図１７】
0006532397.tif 000162
【図１８】
0006532397.tif 000163
【図１９】
0006532397.tif 000164
【図２０】
0006532397.tif 000165
【図２１】
0006532397.tif 000166
【図２２】
0006532397.tif 000167
【図２３】
0006532397.tif 000168